(57)【要約】【課題】飲食物がこぼれたり、汚れた手で操作したりしても、ボタン操作に支障の生じないスイッチ構造を提供する。【解決手段】スイッチ構造は、スイッチ操作を行うための操作面１１ａと、操作面１１ａからスイッチ操作の方向に伸びた筒部１１ｂとを有する移動部材１１と、移動部材１１の筒部１１ｂの内部に嵌め込まれる支柱部１３ｂを具備する支持部材１３と、移動部材１１の移動によって所定の変化を発生するスイッチ機能部１７とを具備し、支柱部１３ｂは、移動部材１１がスイッチ操作により移動するためのガイドとなり、移動部材１１の移動方向に貫通する貫通孔１３ｄを有し、貫通孔１３ｄを貫通して操作面１１ａを発光させることができる発光体を移動部材１１内に配設可能とし、移動部材１１の筒部１１ｂの外周を包囲して空間部が設けられ、支持部材１３の底部には孔１３ｃを設けたことを特徴とする。【選択図】図２
2006202768.tif 000002
【特許請求の範囲】
【請求項１】
スイッチ操作を行うための操作面と、
該操作面からスイッチ操作の方向に伸びた筒部とを有する移動部材と、
該移動部材の前記筒部の内部に嵌め込まれる支柱部を具備する支持部材と、
前記移動部材の移動によって所定の変化を発生するスイッチ機能部と、
スイッチ操作後に前記移動部材を元の位置に戻す付勢部材とを具備し、
前記支柱部は、前記移動部材がスイッチ操作により移動するためのガイドとなり、前記移動部材の移動方向に貫通する貫通孔を有し、
前記貫通孔を貫通して前記操作面を発光させることができる発光体を前記移動部材内に配設可能とし、
前記移動部材の筒部の外周を包囲して空間部が設けられ、前記支持部材の底部には孔を設けたことを特徴とするスイッチ構造。
【発明の詳細な説明】
【技術分野】
【０００１】
本発明は、器具又は機器に配置されるスイッチ構造に関し、特に、操作に敏捷性を必要とする機器に配置されるスイッチ構造に関する。
【背景技術】
【０００２】
スロットマシン等の遊技機においては、複数のリールの回転は遊技者のボタン操作に基づいて停止するが、一瞬の遅れで入賞を逃したりすることがあるので、敏捷なボタン操作がゲームの結果を左右する。
【発明の開示】
【発明が解決しようとする課題】
【０００３】
しかしながら、遊技場などでは、飲食しながら遊技をしたり、汚れた手でボタン操作をしたりするので、ボタンの隙間に飲食物が入り込んだり、手の汚れがボタンの周囲にこびりついたり、虫等の死骸がボタンの隙間に詰まったりして、ボタン操作が円滑に行えなくなることがよくある。このように、汚れによりボタン操作が円滑に行えなくなると、スイッチ装置を遊技機から取り外し、洗浄しなければならない。このような遊技機の維持管理には、手間及び費用がかかるばかりでなく、遊技機の管理に目が届かないときは、そのような遊技機を遊技者は敬遠するので、稼働率が低下することになる。このような障害が生じないように、従来、押しボタンと、その押しボタンが取り付けられている支持部材との隙間をなるべく狭くして、隙間に異物が入り込まないようにしていた。
【０００４】
本発明は、飲食物がこぼれたり、汚れた手で操作したりしても、ボタン操作に支障の生じないスイッチ構造を提供することにある。
【課題を解決するための手段】
【０００５】
本発明の第１の態様によれば、スイッチ構造は、スイッチ操作を行うための操作面と、該操作面からスイッチ操作の方向に伸びた筒部とを有する移動部材と、該移動部材の前記筒部の内部に嵌め込まれる支柱部を具備する支持部材と、前記移動部材の移動によって所定の変化を発生するスイッチ機能部と、スイッチ操作後に前記移動部材を元の位置に戻す付勢部材とを具備し、前記支柱部は、前記移動部材がスイッチ操作により移動するためのガイドとなり、前記移動部材の移動方向に貫通する貫通孔を有し、前記貫通孔を貫通して前記操作面を発光させることができる発光体を前記移動部材内に配設可能とし、前記移動部材の筒部の外周を包囲して空間部が設けられ、前記支持部材の底部には孔を設けたことを特徴とする。
【発明の効果】
【０００６】
支持部材の支柱に、移動部材の筒部を嵌め込む。筒部の内周面は支柱の外周面に面している。支柱が移動部材の移動のためのガイドの機能を果たす。ガイドである故に、筒部の内周面と支柱の外周面との間隙は移動のために必要ではあるが、移動部材が大きく振れたりせず、安定を保持できる程度の間隙が設けられている。この間隙は、遊技者の操作する外界に露出していない。従って、遊技者が飲食物をこぼしたりしても、この間隙に異物が入り込むことがない。また、従来の押しボタン構造と反対に、積極的に、筒部の外周を包囲する空間部を設けてあるので、こぼれた飲食物又は虫の死骸等は、移動部材の外面を滑り落ち又は流れ落ちるので、スイッチ操作に支障が生じることがない。移動部材の移動により所定の変化を生ずるスイッチ機能部が設けられ、移動部材の円滑な移動によりスイッチ機能部は円滑にスイッチ機能を果たすことができる。
【０００７】
支柱部に貫通孔を設けることにより、その貫通孔を貫通して、ＬＥＤ等の発光体を移動部材内部に配設することができ、操作面を発光させることができる。
【０００８】
スイッチ機能部に、移動部材の移動により光路の遮断される光センサを設けたり、又は、移動部材の移動により接点が接触する通電手段を設けることにより、本発明のスイッチ構造は、有効なスイッチ動作を発生させることができる。
【発明を実施するための最良の形態】
【０００９】
図１は本発明のスイッチ構造の実施例の斜視図、図２及び図３はその断面図である。
【００１０】
スイッチ構造１０は、略半球形状の操作面１１ａを有する移動部材１１と、支持部材１３と、後述するスイッチ機能部とを具備する。
【００１１】
移動部材１１は、図２に示すように、操作面１１ａの下方に筒部１１ｂが伸び、きのこ形状を有する。内部空間も同様にきのこ形状をしている。
【００１２】
支持部材１３は、前記移動部材１１を移動自在に配置可能な段付き状の凹部１３ａと、凹部１３ａの中央に突出する円柱部１３ｂを有し、凹部１３ａの底面には、複数の孔１３ｃが形成されている。円柱部１３ｂは円柱の長さ方向（縦）に貫通孔１３ｄが形成され、円柱部１３ｂの上端部に、外方へ突出する突起１３ｅが少なくとも１個形成されている。この突起１３ｅを円柱部１３ｂの上端の円周全体に形成してもよい。凹部１３ａは移動部材１１を配置したとき、移動部材１１の周囲に空間部が形成される大きさ及び形状を有し、きのこ形状の移動部材１１に対応させて開放口側を広口とした段付き穴としている。
【００１３】
移動部材１１は筒部１１ｂの外周にコイルスプリング１５を巻装して、支持部材１３の円柱部１３ｂに装着される。
【００１４】
図２に示すように、支持部材１３の凹部１３ａの底面に、コイルスプリング１５の一端が係止され、他端は移動部材１１の操作面１１ａの下面に当接している。移動部材１１は、筒部１１ｂ内部を貫通する支持部材１３の円柱部１３ｂの上端の突起１３ｅが、筒部１１ｂの上端面１１ｃを係止しているので、コイルスプリング１５が上方へ付勢しても外れることはない。突起１３ｅは、移動部材１１の筒部１１ｂの内部に円柱部１３ｂを挿入できるが、挿入した後には容易に外れないような形状とする。
【００１５】
図３に示すように、操作面１１ａを押すと、移動部材１１は下方へ移動する。このとき、筒部１１ｂ内部の円柱部１３ｂが、ガイドとなり、移動部材の上下動の安定性を保障する。円柱部１３ｂに沿って、筒部１１ｂは下方へ円滑に移動できる。
【００１６】
支持部材１３の凹部１３ａの内部側面に光センサ１７の発光部１７ａが配置される。光センサ１７は、図４に示すように、円筒形状で、円筒の内周面上部に２個の発光部１７ａ，１７ａ’及び各発光部１７ａ，１７ａ’からの光を受光する受光部１７ｂ，１７ｂ’を有し、各発光部から受光部に至る光軸が形成されている。図５に示すように、光軸が前記支持部材１３の円柱部１３ｂの外壁面によって遮断されることがなく、下方に移動した移動部材１１の筒部１１ｂの外壁面によって遮断される位置に形成されるように発光部の発生する光の方向と受光部の位置が決められている。移動部材１１の筒部１１ｂに巻装されているコイルスプリング１５により一方の光軸が遮断されてもセンサが機能しないように発光部及び受光部が各２個設けられて２本の光軸が形成され、両方の光軸が遮断されたときにセンサが機能するように設計されている。
【００１７】
このように、各光軸は、移動部材１１の筒部１１ｂが下方へ移動する前（図２）には、遮断されないが、筒部１１ｂが下方へ移動すると遮断される。このようにして光センサは移動部材１１の移動を検知することができ、スイッチ機能を果たす。
【００１８】
操作面１１ａからの力が排除されると、コイルスプリング１５の復元力により移動部材１１は元の上方の位置に戻る。
【００１９】
上記スイッチ構造は、移動部材１１の外周に空間部が形成されているので、飲食物をこぼしたり、虫の死骸等が入り込んでも、移動部材１１の外面を滑り落ち、又は流れ落ち、支持部材１３の底面に設けた孔１３ｃから排出されるので、実害を生じない。
【００２０】
上記実施例において、光センサの発光部と受光部の両方を凹部１３ａの側壁面に配置したが、いずれか一方を円柱部１３ｂに配置してもよい。また、移動部材１１から突出する遮蔽板で光センサの光路を塞ぐようにしてもよい。スイッチ機能部として、スイッチ操作により、接点が接触する通電手段、例えばリーフスイッチを用いることもできる。
【００２１】
本発明の具体的態様によれば、スイッチ構造は、スイッチ操作を行うための操作面と、該操作面からスイッチ操作の方向に伸びた筒部とを有する移動部材と、該移動部材の前記筒部の内部に嵌め込まれる支柱部を具備する支持部材と、前記移動部材の移動によって所定の変化を発生するスイッチ機能部とを具備し、前記支柱部は前記移動部材がスイッチ操作により移動するためのガイドとなり、前記移動部材の筒部の外周を包囲して空間部が設けられていることを特徴とする。
【００２２】
本発明の具体的態様によれば、前記支柱部は、前記移動部材の移動方向に貫通する貫通孔を有することを特徴とする。
【００２３】
本発明の具体的態様によれば、前記スイッチ機能部は、前記移動部材の移動により、光路が遮断される光センサを具備することを特徴とする。
【００２４】
本発明の具体的態様によれば、前記スイッチ機能部は、前記移動部材の移動により、接点が接触する通電手段を具備することを特徴とする。
【００２５】
本発明の具体的態様によれば、スイッチ構造は、スイッチ操作を行うための操作面と、該操作面からスイッチ操作の方向に伸びた筒部とを有する移動部材と、該移動部材の前記筒部の内部に嵌め込まれる支柱部を具備する支持部材と、前記移動部材の移動によって所定の変化を発生するスイッチ機能部と、スイッチ操作後に前記移動部材を元の位置に戻す付勢部材とを具備し、前記支柱部は前記移動部材がスイッチ操作により移動するためのガイドとなり、前記移動部材の筒部の外周を包囲して空間部が設けられていることを特徴とする。
【図面の簡単な説明】
【００２６】
【図１】本発明のスイッチ構造の実施例の斜視図。
【図２】図１の実施例の断面図。
【図３】図１の実施例の断面図。
【図４】実施例で用いられた光センサの斜視図。
【図５】実施例で用いられた光センサの斜視図。
【符号の説明】
【００２７】
１０…スイッチ構造、１１…移動部材、１３…支持部材、１５…コイルスプリング、１７…光センサ。
【図１】
2006202768.tif 000003
【図２】
2006202768.tif 000004
【図３】
2006202768.tif 000005
【図４】
2006202768.tif 000006
【図５】
2006202768.tif 000007